(57)【要約】【課題】貸金庫システムの総重量を抑え、これまで困難であった階上店舗への設置を可能とする貸金庫システムを提供する。【解決手段】保護箱を異なる最大積載重量の仕様に分け、その最大積載重量の情報を設定して記憶する貸金庫メインコントローラ１４と、保護箱の重量を測定する重量センサユニット２３と、重量センサユニット２３で測定した保護箱の重量測定値と該保護箱に対応する貸金庫メインコントローラ１４で記憶した最大積載重量の情報とを比較して、該保護箱の積載重量が最大積載重量以内であるか否かを判定するブース搬送コントローラ１５と、を備える貸金庫システム１とした。【選択図】図３
2010090583.tif 000002
【特許請求の範囲】
【請求項１】
顧客の物品を格納する保護箱と、
ブース内に設けられ、顧客が前記保護箱を利用するための保護箱利用口と、
前記保護箱利用口と貸金庫室との間で前記保護箱を搬送するブース内搬送手段と、
を備えた貸金庫システムであって、
前記保護箱を異なる最大積載重量の仕様に分け、その最大積載重量の情報を設定して記憶する重量設定記憶手段と、
保護箱の重量を測定する重量センサユニットと、
前記重量センサユニットで測定した保護箱の重量測定値と該保護箱に対応する前記重量設定記憶手段で記憶した最大積載重量の情報とを比較して、該保護箱の積載重量が最大積載重量以内であるか否かを判定する重量比較判定手段と、
を備えたことを特徴とする貸金庫システム。
【請求項２】
前記保護箱は高さ寸法の異なる複数の種別に分けられ、前記重量設定記憶手段はこの種別ごとに最大積載重量の情報を設定して記憶することを特徴とする請求項１に記載の貸金庫システム。
【請求項３】
前記重量設定記憶手段を構成し、前記最大積載重量の情報として最大積載重量値と保護箱自体の重量値とを記憶する貸金庫メインコントローラと、
前記重量比較判定手段を構成し、前記ブース内搬送手段を制御するブース搬送コントローラと、
を備え、
保護箱の顧客利用が終了したとき、前記貸金庫メインコントローラが、前記保護箱利用口のシャッタ閉命令と共に、該保護箱に対応する最大積載重量値と保護箱自体の重量値との重量合計値を前記ブース搬送コントローラに送信する第１ステップ、
前記貸金庫メインコントローラからの送信を受け、前記ブース搬送コントローラが前記保護箱の重量測定値の送信を重量センサユニットに要求する第２ステップ、
前記ブース搬送コントローラからの要求を受け、前記重量センサユニットが前記保護箱の現時点の重量測定値を前記ブース搬送コントローラに送信する第３ステップ、
前記ブース搬送コントローラが、前記重量測定値と前記重量合計値とを比較し、前記保護箱の積載重量が最大積載重量以内であるか否かを判定する第４ステップ、
前記保護箱の積載重量が、最大積載重量以内であるときには前記保護箱利用口のシャッタを閉めて前記保護箱を貸金庫室に返却し、最大積載重量を超えているときには前記シャッタを開けたままとし、警告を表示する第５ステップ、
の各ステップをその順序で行うことを特徴とする請求項１または請求項２に記載の貸金庫システム。
【発明の詳細な説明】
【技術分野】
【０００１】
本発明は、貸金庫システムに関するものである。
【背景技術】
【０００２】
貸金庫システムの一例としては、複数の顧客に対応してそれぞれ設けられ、各顧客の物品を格納するための複数の保護箱と、保護箱を収納するラックが設置された貸金庫室と、取り出し指示信号に基づいて開口し、返却指示信号に基づいて閉口する保護箱利用口と、保護箱を前記ラックと前記保護箱利用口との間で搬送する搬送手段と、各顧客が顧客確認情報を入力する操作部と、顧客確認情報の入力に基づき、搬送手段および保護箱利用口を制御する制御部と、前記保護箱利用口および前記操作部が設置され、顧客が保護箱を利用するブースと、を備えた構成のものが挙げられる（例えば、特許文献１−３参照）。
【０００３】
従来から貸金庫システムでは、高さ寸法の異なる複数種別の保護箱が用意されており、契約時に保護箱に預ける顧客の物品に合わせて保護箱の種別が決定される。保護箱の最大積載重量については、前記搬送手段の許容荷重を考慮して保護箱の種別に関係なく一定に設定されており、例えば保護箱利用口などにおいて保護箱が重量オーバーしているか否かがチェックされる。
【特許文献１】特公平２−１９５６号公報
【特許文献２】特開２００６−９７４３４号公報
【特許文献３】特開２００７−２３６６８号公報
【発明の開示】
【発明が解決しようとする課題】
【０００４】
金融機関の店舗が階上店舗などの場合は、床許容荷重に制限を受けやすいために貸金庫システムの総重量を抑える必要がある。しかしながら、従来の貸金庫システムでは、保護箱の種別に関係なく最大積載重量が一定であり、床荷重は総最大積載重量を負担することになって、階上店舗への設置が困難となりやすい。従来では、前記したように保護箱の最大積載重量は搬送手段の許容荷重のみ考慮したものであり、重量オーバーの判定機構も、単に最大積載重量となったときの保護箱の下方変位で作動するリミットスイッチを設けただけのものであり、重量値そのものを測定して判定するものではなかった。
【０００５】
本発明は、貸金庫システムの総重量を抑えるために保護箱の最大積載重量に着目し、保護箱を重量による仕様に分け、この仕様ごとに適正な最大積載重量を設定可能にすることで、貸金庫システムの総重量を抑え、これまで困難であった階上店舗への設置を可能とする貸金庫システムを提供する。
【課題を解決するための手段】
【０００６】
前記課題を解決するため、本発明は、顧客の物品を格納する保護箱と、ブース内に設けられ、顧客が前記保護箱を利用するための保護箱利用口と、前記保護箱利用口と貸金庫室との間で前記保護箱を搬送するブース内搬送手段と、を備えた貸金庫システムであって、前記保護箱を異なる最大積載重量の仕様に分け、その最大積載重量の情報を設定して記憶する重量設定記憶手段と、保護箱の重量を測定する重量センサユニットと、前記重量センサユニットで測定した保護箱の重量測定値と該保護箱に対応する前記重量設定記憶手段で記憶した最大積載重量の情報とを比較して、該保護箱の積載重量が最大積載重量以内であるか否かを判定する重量比較判定手段と、を備えたことを特徴とする。
【０００７】
この貸金庫システムによれば、保護箱を異なる最大積載重量の仕様に分け、その仕様ごとに適正な最大積載重量を設定可能とすることで、貸金庫システムの総重量を抑えることができる。したがって、床許容荷重に制限を受けやすい階上店舗など、重量の点で貸金庫システムを設置することが困難であった場所にも設置することが可能となる。
【０００８】
また、本発明は、前記保護箱は高さ寸法の異なる複数の種別に分けられ、前記重量設定記憶手段はこの種別ごとに最大積載重量の情報を設定して記憶することを特徴とする。
【０００９】
この貸金庫システムによれば、保護箱の高さに応じて最大積載重量を設定できるため、契約時の顧客にとっては保護箱の大きさと預ける予定の物品の大きさ、重量との関係が把握しやすくなって保護箱の種別の選択を容易に行える。
【００１０】
また、本発明は、前記重量設定記憶手段を構成し、前記最大積載重量の情報として最大積載重量値と保護箱自体の重量値とを記憶する貸金庫メインコントローラと、前記重量比較判定手段を構成し、前記ブース内搬送手段を制御するブース搬送コントローラと、を備え、保護箱の顧客利用が終了したとき、前記貸金庫メインコントローラが、前記保護箱利用口のシャッタ閉命令と共に、該保護箱に対応する最大積載重量値と保護箱自体の重量値との重量合計値を前記ブース搬送コントローラに送信する第１ステップ、前記貸金庫メインコントローラからの送信を受け、前記ブース搬送コントローラが前記保護箱の重量測定値の送信を重量センサユニットに要求する第２ステップ、前記ブース搬送コントローラからの要求を受け、前記重量センサユニットが前記保護箱の現時点の重量測定値を前記ブース搬送コントローラに送信する第３ステップ、前記ブース搬送コントローラが、前記重量測定値と前記重量合計値とを比較し、前記保護箱の積載重量が最大積載重量以内であるか否かを判定する第４ステップ、前記保護箱の積載重量が、最大積載重量以内であるときには前記保護箱利用口のシャッタを閉めて前記保護箱を貸金庫室に返却し、最大積載重量を超えているときには前記シャッタを開けたままとし、警告を表示する第５ステップ、の各ステップをその順序で行うことを特徴とする。
【００１１】
この貸金庫システムによれば、貸金庫システム全体の機器の制御を行う既存の貸金庫メインコントローラとブース内搬送手段の制御を行う既存のブース搬送コントローラとを利用するため、従来既存の貸金庫システムから本発明への改造が容易となる。
【発明の効果】
【００１２】
本発明によれば、床許容荷重に制限を受けやすい階上店舗など、重量の点で貸金庫システムを設置することが困難であった場所にも設置することができる。
【発明を実施するための最良の形態】
【００１３】
図１は本発明が適用される貸金庫システムの一例を示す外観斜視図、図２はブース機器の構造図であって、（ａ）、（ｂ）はそれぞれブース機器の外観斜視図、断面図である。先ずこれらの図を参照して貸金庫システム１全体の概略構造について説明する。図１において、符号２は顧客の物品を格納する保護箱を示す。顧客が利用するブース３は仕切り壁５を隔てて貸金庫室４に隣接しており、ブース機器６が仕切り壁５に接面するようにしてブース３内に設置されている。
【００１４】
図２において、ブース機器６は、ブース情報装置７と保護箱利用口８とブース内搬送手段９とを備える。ブース情報装置７は、顧客がタッチパネルなどの入力方式で保護箱２の取り出しや返却の指示等を行う装置であって、その表示部７ａはブース機器６の筐体６ａの上部に設置されている。保護箱利用口８は筐体６ａの上部に形成されており、通常時は閉じ、顧客が保護箱２を利用する際に開くスライド式のシャッタ８ａが付設されている。顧客は、図２（ｂ）に示すようにシャッタ８ａの開いた保護箱利用口８を介し、保護箱２の蓋２ａを開けて物品の出し入れを行う。
【００１５】
ブース内搬送手段９は、保護箱利用口８と貸金庫室４との間で保護箱２を搬送する機能を担い、筐体６ａ内に設けられている。このブース内搬送手段９は、例えば貸金庫室４側と保護箱利用口８の直下周りとにわたって延設され、保護箱２を水平方向に搬送するコンベア９ａと、このコンベア９ａによって保護箱利用口８の直下まで搬送されてきた保護箱２を保護箱利用口８に臨むように昇降自在とするリフタ９ｂとを備えている。
【００１６】
また、顧客がブース３に入室する際の認証装置として、図１に示すようにゲート装置１０がブース３の入出ドア１０ａ周りに設けられている。顧客は携帯した認証カードでゲート装置１０を操作し、入出ドア１０ａのロックを解除してブース３に入室する。
【００１７】
一方、貸金庫室４側においては、ラック１１とスタッカクレーン１２と庫内搬送手段１３とが設けられる。ラック１１は複数の保護箱２を上下方向および左右方向に並べて格納する。後記するように保護箱２は高さ寸法の違いにより複数の種別が存在するので、ラック１１における各保護箱２の格納部の高さは保護箱２に合わせて形成されている。
【００１８】
スタッカクレーン１２は、ラック１１の前面に沿って走行する本体１２ａと、本体１２ａに昇降自在に取り付けられ、ラック１１からの保護箱２の格納や取り出しを行うキャリッジ１２ｂとを有した構成からなる。庫内搬送手段１３は、スタッカクレーン１２と前記したブース内搬送手段９との間に介設されて両者間の保護箱２の受け渡し機能を担うものであり、具体的には保護箱２を水平方向に回転させて方向転換させたり、保護箱２を通すべく仕切り壁５の貫通口に設けた開閉扉（図示せず）を開閉するなどの機能を有する。これらスタッカクレーン１２や庫内搬送手段１３は公知構造のものでよいため詳細な説明は省略する。
【００１９】
図３は本発明に係る貸金庫システムの一例を示す構成ブロック図である。本発明の貸金庫システム１は、保護箱を異なる最大積載重量の仕様に分け、その最大積載重量の情報を設定して記憶する重量設定記憶手段２１と、保護箱の重量を測定する重量センサユニット２３と、重量センサユニット２３で測定した保護箱の重量測定値とこの保護箱に対応する重量設定記憶手段２１で記憶した最大積載重量の情報とを比較して、保護箱の積載重量が最大積載重量以内であるか否かを判定する重量比較判定手段２２と、を備える。
【００２０】
図３に示した貸金庫システム１は、貸金庫メインコントローラ１４、ブース搬送コントローラ１５、スタッカクレーン１２、庫内搬送手段１３、重量センサユニット２３、ブース内搬送手段９、ゲート装置１０、モニタＰＣ１６、ブース情報装置７を備えており、貸金庫メインコントローラ１４が重量設定記憶手段２１を構成し、ブース搬送コントローラ１５が重量比較判定手段２２を構成する。
【００２１】
「モニタＰＣ１６」
モニタＰＣ１６は店舗のオペレータが操作する端末装置であって、営業室などに設置される。モニタＰＣ１６では、顧客の新規契約や契約内容の変更、解約処理、利用状況、エラー内容の確認などの処理が行われる。本実施形態ではこのモニタＰＣ１６を利用して、保護箱の最大積載重量の入力設定を行う。図４にモニタＰＣ１６における最大積載重量の入力設定画面の一例を示す。この入力設定画面では、高さ寸法の違いにより保護箱の種別が８種類あることを示しており、各種別の数値は保護箱の高さ寸法を示している。例えば「６０Ｈ」という種別は高さ寸法が６０ミリメートルの保護箱であることを示す。各種別欄の横には最大積載重量を示す重量欄がレイアウトされており、オペレータはそれぞれの重量切替ボタン１６ａをクリックすることで、種別ごとに設定する最大積載重量を例えば「２０Ｋｇ」、「１５Ｋｇ」、「１０Ｋｇ」のいずれかから選択する。勿論、設定できる最大積載重量は２段階や４段階以上でもよいし、或いは自由な数値を入力できるようにしてもよい。
【００２２】
「貸金庫メインコントローラ１４」
図３において、貸金庫メインコントローラ１４は、貸金庫システム１全体の機器の制御を行うものであり、貸金庫室４（図１）に設置される。貸金庫メインコントローラ１４には顧客の登録データや取引履歴データ、各種の設定データなどが保管されている。設定データとしては、例えば顧客がどの種別の保護箱を契約しているかなどのデータである。そして、モニタＰＣ１６における保護箱の最大積載重量の入力設定を受けて、重量設定記憶手段２１としての貸金庫メインコントローラ１４は、保護箱の最大積載重量の情報として最大積載重量値を記憶する。この「最大積載重量値」とはモニタＰＣ１６で入力設定した「２０Ｋｇ」、「１５Ｋｇ」、「１０Ｋｇ」などの値そのものである。また、貸金庫メインコントローラ１４には保護箱自体の重量値が記憶されている。この「保護箱自体の重量値」とは空の状態の保護箱の重量値であり、当然に高さ寸法の大きい保護箱ほどその重量値は大きい。例えば図４に示した種別「６０Ｈ」の保護箱自体の重量値は２Ｋｇ、種別「１４０Ｈ」は３Ｋｇ、種別「２００Ｈ」は４Ｋｇなどである。
【００２３】
「ブース搬送コントローラ１５」
ブース搬送コントローラ１５は、ブース内搬送手段９および重量センサユニット２３の制御やシャッタ８ａ（図２）の開閉制御を行う。そして、重量比較判定手段２２としてのブース搬送コントローラ１５は、貸金庫メインコントローラ１４に記憶されている「最大積載重量値」と「保護箱自体の重量値」との重量合計値と、重量センサユニット２３で測定した保護箱の重量測定値とを比較し、重量測定値が重量合計値以内であるか否か、すなわち、保護箱の積載重量が最大積載重量以内であるか否かを判定する。このブース搬送コントローラ１５は例えば図２に示すようにブース機器６に内蔵される。
【００２４】
「重量センサユニット２３」
図３において、重量センサユニット２３としては、保護箱の重量を測定できるセンサを有していればその型式は特に限定されないが、高精度の測定値が得られるなどの理由から静電容量センサユニットが好適である。図５は静電容量センサユニットからなる重量センサユニット２３の構成図である。重量センサユニット２３は、センサ部２３ａと制御部２３ｂとから構成される。制御部２３ｂは、センサ部２３ａからの信号により静電容量を検出する静電容量検出部２３ｂ１、静電容量値を重量データ値に変換する重量演算部２３ｂ２、演算プログラムを格納したプログラムメモリ２３ｂ３、静電容量値を重量データ値に変換するための演算係数を格納する演算係数格納メモリ２３ｂ４、通信制御部２３ｂ５、電源部２３ｂ６などから構成される。前記演算係数は、予め重量が正確に判っている複数の重量物に対しその静電容量を測定することで、両者の相関関係から求める。通信制御部２３ｂ５は例えばＲＳ４８５規格で上位ユニット（本実施形態ではブース搬送コントローラ１５）と接続する。以上の重量センサユニット２３は図２に示すようにブース機器６に内蔵され、具体的には保護箱２が載置されるリフタ９ｂの上部周りに取り付けられる。
【００２５】
以下、図６を参照して貸金庫システム１の運用フローの一例を説明する。図６は貸金庫システム１の運用フロー図である。なお、以下の各フロー図での説明中、符号付きの構成要素については適宜に図１〜図５を参照されたい。
【００２６】
ゲート装置１０で顧客認証による受付がなされると、スタッカクレーン１２および庫内搬送手段１３により保護箱２が搬送される。ブース情報装置７での暗証番号入力などによりブース３での受付がなされると、保護箱２は、ブース内搬送手段９のコンベア９ａによって保護箱利用口８の直下まで搬送される。保護箱利用口８の直下に搬送された時点で、重量センサユニット２３の重量測定値が０ｋｇにリセットされる。その後、保護箱２はブース内搬送手段９のリフタ９ｂに載置されて保護箱利用口８に臨むように上昇する。重量センサユニット２３は、０Ｋｇリセット後、リフタ９ｂ上に保護箱２を載せた時点から保護箱２の重量を常時測定している。
【００２７】
次いで、顧客がブース情報装置７でシャッタ８ａを開く旨操作すると、保護箱利用口８のシャッタ８ａが開く。保護箱２に新たな物品を入れるなどの利用後、顧客がブース情報装置７でシャッタ８ａを閉じる旨操作すると、シャッタ８ａを閉じる旨貸金庫メインコントローラ１４が受け付け、貸金庫メインコントローラ１４からブース搬送コントローラ１５に、シャッタ閉命令とともに、その顧客の保護箱２に対応する最大積載重量値と保護箱自体の重量値との重量合計値が送信される。貸金庫メインコントローラ１４からの送信を受け、ブース搬送コントローラ１５が重量センサユニット２３に現時点での重量測定値を送信するように要求する。保護箱利用口８のシャッタ８ａが開いたままの状態で、ブース搬送コントローラ１５からの送信を受け、重量センサユニット２３は、現時点での保護箱２の重量測定値をブース搬送コントローラ１５に送信する。ブース搬送コントローラ１５は、それぞれ受信した重量測定値と重量合計値とを比較して、保護箱２の積載重量が最大積載重量以内であるか否かを判定する。
【００２８】
保護箱２の積載重量が最大積載重量を超えている場合は、ブース情報装置７に例えば「貸金庫の収納物を減らしてください」などのメッセージを表示するとともに音声ガイダンスを流して顧客に注意を促し、シャッタ８ａは開いたままとしておく。保護箱２の積載重量が最大積載重量以内である場合は、シャッタ８ａが閉じて保護箱２が貸金庫室４に搬送され、フローが終了する。
【００２９】
図７は、貸金庫メインコントローラ１４とブース搬送コントローラ１５と重量センサユニット２３の三者間のデータ処理を示すフロー図である。貸金庫メインコントローラ１４からブース搬送コントローラ１５に保護箱受け取り命令が送信され（Ｓ１１）、ブース搬送コントローラ１５は保護箱受け取り処理を行う（Ｓ１２）。受け取り処理とは保護箱２をリフタ９ｂ上の重量センサユニット２３まで搬送する処理である。保護箱２がコンベア９ａによって保護箱利用口８の直下に搬送された時点で、ブース搬送コントローラ１５から重量センサユニット２３に０Ｋｇリセット命令が送信され（Ｓ１３）、重量センサユニット２３は０Ｋｇリセット処理を行う（Ｓ１４）。Ｓ１２の処理後、ブース搬送コントローラ１５から貸金庫メインコントローラ１４に保護箱受け取り完了の信号が送信され（Ｓ１５）、貸金庫メインコントローラ１４からブース搬送コントローラ１５にリフタ９ｂの上昇命令が送信される（Ｓ１６）。ブース搬送コントローラ１５はリフタ９ｂの上昇処理を行い（Ｓ１７）、上昇完了後、貸金庫メインコントローラ１４にリフタ９ｂの上昇完了の信号が送信される（Ｓ１８）。
【００３０】
次いで、顧客の操作によりシャッタ８ａを開く旨貸金庫メインコントローラ１４が受け付けると（Ｓ１９）、貸金庫メインコントローラ１４からブース搬送コントローラ１５にシャッタ開命令が送信される（Ｓ２０）。ブース搬送コントローラ１５はシャッタ開処理を行い（Ｓ２１）、開処理完了後、貸金庫メインコントローラ１４に開処理完了の信号が送信される（Ｓ２２）。
【００３１】
顧客の操作によりシャッタ８ａを閉じる旨貸金庫メインコントローラ１４が受け付けると（Ｓ２３）、貸金庫メインコントローラ１４からブース搬送コントローラ１５に、シャッタ閉命令とともに、その顧客の保護箱に関して記憶した最大積載重量の情報が送信される（Ｓ２４）。ブース搬送コントローラ１５は重量センサユニット２３に現時点での重量測定値を送信するように要求し（Ｓ２５）、重量センサユニット２３からブース搬送コントローラ１５に重量測定値が送信される（Ｓ２６）。ブース搬送コントローラ１５はＳ２４で受信した最大積載重量の情報とＳ２６で受信した重量測定値とを比較判定する（Ｓ２７）。
【００３２】
Ｓ２３以降の具体的な重量の比較判定方法について図８のフロー図を参照して説明する。保護箱２の顧客利用が終了したとき、貸金庫メインコントローラ１４が、保護箱利用口８のシャッタ８ａの閉命令と共に、該保護箱２に対応する最大積載重量値と保護箱自体の重量値との重量合計値をブース搬送コントローラ１５に送信する（第１ステップＳ１）。
【００３３】
貸金庫メインコントローラ１４からの送信を受け、ブース搬送コントローラ１５が保護箱２の重量測定値の送信を重量センサユニット２３に要求する（第２ステップＳ２）。
【００３４】
ブース搬送コントローラ１５からの要求を受け、重量センサユニット２３が保護箱２の現時点の重量測定値をブース搬送コントローラ１５に送信する（第３ステップＳ３）。
【００３５】
ブース搬送コントローラ１５は、それぞれ受信した重量測定値と重量合計値とを比較して、保護箱２の積載重量が最大積載重量以内であるか否かを判定する（第４ステップＳ４）。
【００３６】
保護箱２の積載重量が、最大積載重量以内であるときには（Ｓ４のＹＥＳ）、保護箱利用口８のシャッタ８ａを閉めて保護箱２を貸金庫室４に返却し、フローを終了する（ステップＳ５ａ）。最大積載重量を超えているときには（Ｓ４のＮＯ）、シャッタ８ａを開けたままとし、ブース搬送コントローラ１５が最大積載重量を超えているという判定結果を貸金庫メインコントローラ１４に送信する。ブース搬送コントローラ１５からの送信を受け、貸金庫メインコントローラ１４が警告表示命令をブース情報装置７に送信する。貸金庫メインコントローラ１４からの送信を受け、ブース情報装置７は例えば「貸金庫の収納物を減らしてください」などのメッセージを表示するとともに音声ガイダンスを流すなどの警告を表示する。顧客は警告に基づき、保護箱２の中の収納物を減らし、シャッタ８ａの閉操作を行い、Ｓ１に戻る（ステップＳ５ｂ）。
【００３７】
以上のように、保護箱２を異なる最大積載重量の仕様に分け、その最大積載重量の情報を設定して記憶する重量設定記憶手段２１と、保護箱２の重量を測定する重量センサユニット２３と、重量センサユニット２３で測定した保護箱２の重量測定値とこの保護箱２に対応する重量設定記憶手段２１で記憶した最大積載重量の情報とを比較して、保護箱２の積載重量が最大積載重量以内であるか否かを判定する重量比較判定手段２２と、を備えた貸金庫システム１とすれば、以下のような効果が奏される。既述したように、従来の貸金庫システムでも保護箱の最大積載重量オーバーのチェックはしていたが、それは搬送手段の許容荷重を考慮したものであり、保護箱の高さ寸法の種別に関係なく全ての保護箱の最大積載重量が一定であったため、貸金庫システムの総重量が増大する傾向にあった。これに対して本発明によれば、保護箱２を異なる最大積載重量の仕様に分け、その仕様ごとに適正な最大積載重量を設定可能とすることで、貸金庫システムの総重量を抑えることができる。したがって、床許容荷重に制限を受けやすい階上店舗など、重量の点で貸金庫システムを設置することが困難であった場所にも設置することが可能となる。
【００３８】
また、本実施形態のように、保護箱２が高さ寸法の異なる複数の種別に分けられている場合、重量設定記憶手段２１にこの種別ごとに最大積載重量の情報を設定して記憶させるようにすれば、保護箱２の高さに応じて最大積載重量を設定できるため、契約時の顧客にとっては保護箱２の大きさと預ける予定の物品の大きさ、重量との関係が把握しやすくなって保護箱２の種別の選択を容易に行える。
【００３９】
ラック１１の棚板の取り付け用穴を等ピッチで設け、保護箱の高さ寸法を棚板ピッチ寸法の整数倍から干渉防止の隙間を除いた寸法に設定して、保護箱の種別のマス構成を自由に変更できるようにした場合、本発明によれば、種別ごとに最大積載重量を設定可能なため、保護箱の種別のマス構成変更に伴う、設置後の貸金庫システムの総重量の大幅な増加が抑えられる。
【００４０】
また、前記第１ステップＳ１〜第４ステップＳ４およびステップＳ５ａ、ステップＳ５ｂを行う構成とすれば、貸金庫システム１全体の機器の制御を行う既存の貸金庫メインコントローラ１４とブース内搬送手段９の制御を行う既存のブース搬送コントローラ１５とを利用するため、従来既存の貸金庫システムからの改造が容易となる。
【００４１】
以上、本発明の最良の形態について説明した。重量センサユニット２３で測定した保護箱２の重量測定値は他の目的に有効に利用することができる。例えば、測定した保護箱２の重量測定値を利用履歴として残し、物品の紛失や物品を取り出したことを忘れたときの証拠として利用することができる。その場合、顧客の秘密を守るという観点から、利用履歴である保護箱２の重量測定値は、ブース情報装置７の表示部７ａにより顧客のみが閲覧可能とすることが望ましい。
【００４２】
また、説明した形態では、保護箱利用口８のシャッタ８ａを閉める時点で重量センサユニット２３が測定した保護箱２の重量を利用しているが、保護箱２が保護箱利用口８に到着してシャッタ８ａが開いた時点とシャッタ８ａを閉める時点の両方での保護箱２の重量を利用履歴として残すようにしてもよい。このように保護箱２の利用前後の重量を測定して履歴として残すことにより、物品の紛失や取り出したことを忘れたときの有効な証拠にできる。
【００４３】
さらに、保護箱利用口８のシャッタ８ａが開いている間は、常時重量センサユニット２３が測定している重量測定値をブース搬送コントローラ１５に常時に送信するようにしてもよい。これによれば、設定された最大積載重量を超えた時点でリアルタイムに警告を出すことができるため、保護箱２の蓋２ａを閉め、鍵をかける前に積載重量を超過していることが判り、顧客にとって無駄な操作をしなくて済む。
【００４４】
また、保護箱２ごとに、保護箱返却時に測定した保護箱２の重量測定値を貸金庫メインコントローラ１４に記憶させ、貸金庫全体の総重量を積算し、建物の床許容荷重に近づくと警告を発するようにしたり、床許容荷重に対する現時点での貸金庫の総重量の割合をモニタＰＣ１６などに表示するようにしてもよい。
【００４５】
また、保護箱返却時に測定した保護箱２の重量測定値と、その保護箱２の種別と、ラック１１の積載重量に基づき、ラック１１の積載重量の偏りを緩和するように、返却する保護箱２のラック１１への収納場所を変更するように構成してもよい。
【図面の簡単な説明】
【００４６】
【図１】本発明が適用される貸金庫システムの一例を示す外観斜視図である。
【図２】ブース機器の構造図であって、（ａ）、（ｂ）はそれぞれブース機器の外観斜視図、断面図である。
【図３】本発明に係る貸金庫システムの一例を示す構成ブロック図である。
【図４】モニタＰＣにおける最大積載重量の入力設定画面の説明図である。
【図５】静電容量センサユニットからなる重量センサユニットの構成図である。
【図６】貸金庫システムの運用フロー図である。
【図７】貸金庫メインコントローラとブース搬送コントローラと重量センサユニットとの間のデータ処理を示すフロー図である。
【図８】保護箱の重量の比較判定方法に関するフロー図である。
【符号の説明】
【００４７】
１      貸金庫システム
２      保護箱
３      ブース
４      貸金庫室
６      ブース機器
７      ブース情報装置
８      保護箱利用口
８ａ    シャッタ
９      ブース内搬送手段
１１      ラック
１２      スタッカクレーン
１３      庫内搬送手段
１４      貸金庫メインコントローラ
１５      ブース搬送コントローラ
２１      重量設定記憶手段
２２      重量比較判定手段
２３      重量センサユニット
【図１】
2010090583.tif 000003
【図２】
2010090583.tif 000004
【図３】
2010090583.tif 000005
【図４】
2010090583.tif 000006
【図５】
2010090583.tif 000007
【図６】
2010090583.tif 000008
【図７】
2010090583.tif 000009
【図８】
2010090583.tif 000010